(57)【特許請求の範囲】
【請求項１】
長筒状に形成されるとともに筒壁部に長さ方向に沿う形に開口が形成されたダクト本体と、当該ダクト本体にその長さ方向に沿う形に収納された複数の導電ラインと、床に設置された給電部と導電ラインとを電気的に接続する接続ケーブルとを備えた配線ダクト装置、および上記開口よりダクト本体内に挿入されて複数の導電ラインに着脱自在に接続される電気接続部を有する１乃至複数の配線装置により構成され、
ダクト本体は、
所定方向に沿って併置された複数の机に対して、長さ方向を上記所定方向に沿わせるとともに当該複数の机に亘る形で、配置されており、
下端部が机に固定され且つ上端部にダクト本体取り付け用の取付部が形成された固定具によって、上記開口を机の天板上面に対向させるとともに当該上面との間に配線装置を設置可能なスペースを確保して机に固定されている
ことを特徴とする配線システム。
【請求項２】
配線ダクト装置は、導電ラインに流れる電流の大きさを計測する電流計測手段と、電流計測手段の計測値に応じた表示を行う使用電流表示手段とを備えていることを特徴とする請求項１記載の配線システム。
【発明の詳細な説明】
【技術分野】
【０００１】
本発明は、配線システムに関するものである。
【背景技術】
【０００２】
従来、事務所（オフィス）などにおける什器（家具）、例えば机３００のレイアウトとしては、図６（ａ）に示すように、向かい合わせに配置した２個１組の机３００をその幅方向に沿って複数（図示例では３つ）併置することで、机３００を島状に配置する対向式（島式）レイアウト（事務所レイアウト）が提案されている。
【０００３】
ここで、各机３００には、パーソナルコンピュータ（パソコン）などの事務作業に必要な電子機器が設置されることが多く、そのため、事務所には、各机３００に設置された電子機器に給電するための配線システムが敷設される。
【０００４】
このような配線システムの例としては、例えば、図６（ａ）に示すように、テーブルタップ１００を利用したものが提案されている。図６（ａ）に示す例では、机３００毎にテーブルタップ１００が配置されている。
【０００５】
ここで、各テーブルタップ１００への給電は、事務所の床に設置されたコンセント装置２００が利用されることが多い。コンセント装置２００は、プラグ（差込プラグ）に対応するコンセント口からなる給電部２１０を有しており、床下配線などによって分電盤（図示せず）や、他のコンセント装置２００と電気的に接続されている。
【０００６】
したがって、コンセント装置２００の給電部２１０にテーブルタップ１００を接続することによって、テーブルタップ１００により電子機器への給電が可能となる。
【０００７】
一方、机３００のレイアウトとしては、図６（ｂ）に示すように、同じ方向に向けた机３００をその幅方向に沿って複数（図示例では３つ）併置することで、机３００を一列に配置する同向式（並列式）レイアウト（営業レイアウト）も提案されており、このレイアウトでは、２つの机３００に亘る形でテーブルタップ１００が配置されている。
【０００８】
ところで、図６（ａ），（ｂ）に示すように、複数のテーブルタップ１００を利用して配線システムを構成した場合には、複数のテーブルタップ１００のケーブルの整理などのために、これらケーブルを一括して収納する配線ダクト（図示せず）を設けることが提案されている（例えば、特許文献１参照）。
【特許文献１】特開平１１−３４６８３４号公報
【発明の開示】
【発明が解決しようとする課題】
【０００９】
しかしながら、上記のようなテーブルタップ１００を利用した配線システムでは、テーブルタップ１００の数だけコンセント装置２００の給電部２１０が必要になる。
【００１０】
そのため、テーブルタップ１００と給電部２１０との対応関係が非常に分かり難く、また、給電部２１０の数が足りない場合には、床を剥がしてコンセント装置２００を増設したり、他のコンセント装置２００を利用したりしなくてはならず、敷設作業が行い難いという問題があった。また、このようなテーブルタップ１００を利用した配線システムでは、分電盤からテーブルタップ１００への給電経路が統一されておらず、テーブルタップ１００の位置によって異なる給電経路となるため、電源の管理が行い難く、例えば、図６（ａ）に示すように、対向式レイアウトの６つの机３００における使用電流を知るためには、テーブルタップ１００毎に電流を計測した後にその計測値を合計しなくてはならず、また、配線システムへの給電を一括して停止する操作が難しかった。これらの問題は、机３００の数が増えれば増えるほど顕著であった。
【００１１】
本発明は上述の点に鑑みて為されたもので、敷設に必要な床に設置された給電部の数を減らすことができる配線システムを提供することにある。
【課題を解決するための手段】
【００１２】
上記の課題を解決するために、請求項１の発明では、長筒状に形成されるとともに筒壁部に長さ方向に沿う形に開口が形成されたダクト本体と、当該ダクト本体にその長さ方向に沿う形に収納された複数の導電ラインと、床に設置された給電部と導電ラインとを電気的に接続する接続ケーブルとを備えた配線ダクト装置、および上記開口よりダクト本体内に挿入されて複数の導電ラインに着脱自在に接続される電気接続部を有する１乃至複数の配線装置により構成され、ダクト本体は、所定方向に沿って併置された複数の机に対して、長さ方向を上記所定方向に沿わせるとともに当該複数の机に亘る形で、配置されており、下端部が机に固定され且つ上端部にダクト本体取り付け用の取付部が形成された固定具によって、上記開口を机の天板上面に対向させるとともに当該上面との間に配線装置を設置可能なスペースを確保して机に固定されていることを特徴とする。
【００１３】
請求項１の発明によれば、接続ケーブルを床に設置された給電部に接続するだけで、ダクト本体に収納されている導電ラインを通じて配線ダクト装置に接続されている配線装置に給電することができ、しかも配線ダクト装置のダクト本体を、所定方向に沿って上記床上に併置された複数の机に対して長さ方向を上記所定方向に沿わせるとともに当該複数の机に亘る形で配置しているから、例えば給電部にテーブルタップなどを必要数接続して配線システムを構成する場合とは異なり、所定方向に沿って併置された複数の机のうちの両端の机同士が離れている場合でも一の給電部で間に合い、他の給電部を用いる必要がなくなり、配線システムの敷設に必要な給電部の数を減らすことができ、その結果、敷設作業および電源の管理が容易に行える。また、配線システムの構成、例えば配線装置の数を変更したい場合には、配線装置を配線ダクト装置に着脱すればよく、このような配線装置の着脱作業は机上で行えるから、床に設置された給電部に着脱する場合に比べれば容易に行える。さらに、ダクト本体が机に亘る形に配置されているため、単にテーブルタップなどが机上に置かれている場合に比べれば外観もすっきりする。加えて、配線装置の取り付け位置を配線ダクト装置の導電ラインの長さ方向に調整することができるので、テーブルタップなどを用いる場合とは異なり、ケーブルの長さによって設置位置が制限されることがなく、使用者の使い易い位置に配線装置を取り付けることができる。しかも、ダクト本体は、開口を机の上面に対向させるとともに机の上面との間に配線装置配置用のスペースを形成する形で、机に固定されているので、配線システムが机の上面を占める面積を小さくできるから、配線システムの敷設に必要な領域を狭くして、配線システムが邪魔になることを抑制でき、机上に作業スペースを確保し易くなる。しかも、ダクト本体の開口が下方を向いているので、ダクト本体内にゴミや埃などが入り難くなるから、トラッキングや短絡などの事故を抑制できる。
【００１４】
請求項２の発明では、請求項１の発明において、配線ダクト装置は、導電ラインに流れる電流の大きさを計測する電流計測手段と、電流計測手段の計測値に応じた表示を行う使用電流表示手段とを備えていることを特徴とする。
【００１５】
請求項２の発明によれば、電流計測手段によって複数の配線装置に電力を供給する給電路となる導電ラインに流れる電流を計測し、使用電流表示手段によって計測値に応じた表示を行うから、使用電流表示手段の表示により、配線システム全体に流れる電流値を把握することができ、電流容量や使用電流などの管理が容易に行える。
【発明の効果】
【００１８】
本発明は、配線システムの敷設に必要な床に設置された給電部の数を減らすことができ、敷設作業および電源の管理が容易に行えるという効果を奏する。
【発明を実施するための最良の形態】
【００１９】
本発明の一実施形態の配線システムは、図１に示すように、配線ダクト装置１と、配線ダクト装置１に着脱可能な１乃至複数の配線装置２とで構成されている。なお、以下の説明では、説明の簡略化のために、図１における上方を配線ダクト装置１および配線装置２の上方、図１における下方を配線ダクト装置１および配線装置２の下方とそれぞれ規定する。また、図６（ａ），（ｂ）に示す構成と同様の構成については同一の符号を付して説明を省略する。
【００２０】
配線ダクト装置１は、図２および図３に示すように、長筒状に形成されたダクト本体１０を備えている。ダクト本体１０は、図３に示すように、長尺板状の上壁部１０ａと、天板部１０ａの幅方向（図３（ａ）における左右方向）の両縁部それぞれより下方に垂設された一対の側壁部１０ｂと、一対の側壁部１０ｂ間を一体に連結する下壁部１０ｃとを筒壁部とする両端が開口された矩形筒状のものであって、筒壁部の一部である下壁部１０ｃに、ダクト本体１０の長さ方向に沿う形に開口１０ｄが形成されている。ダクト本体１０の両側壁部１０ｂの内側面における上下方向中間部それぞれには、ダクト本体１０の幅方向に沿う形で一対の支持突片１０ｅが一体に突設されている。
【００２１】
一対の支持突片１０ｅそれぞれの先端部には、導電ライン１１が形成されており、例えば、一方の導電ライン１１が、電源ラインを構成する電圧線として用いられ、他方が接地線（中性線）として用いられる。また、上壁部１０ａの下面における幅方向中央部には、接地ライン（アースライン）として用いられる導電ライン１１が形成されている。なお、以下の説明では、電源ラインとなる導電ライン１１を符号１１Ａで表し、接地ラインとなる導電ライン１１を符号１１Ｂで表す。
【００２２】
ダクト本体１０の基端側となる長さ方向一端部（図１における左端部）には、接続ケーブル１２と導電ライン１１とを電気的に接続する接続部（図示せず）を備えたフィードイン部１３が設けられている。接続ケーブル１２は、一端部がフィードイン部１３において導電ライン１１と電気的に接続され、他端部に、例えばＢ型（Ａ型（アース付）ともいう）のプラグ１２ａが設けられている。接続ケーブル１２のプラグ１２ａは、床に設置された配線機器２００の給電部２１０に接続され、これによって、給電部２１０と導電ライン１１とが電気的に接続される。
【００２３】
また、フィードイン部１３には、導電ライン１１Ａに流れる電流の大きさを計測する電流計からなる電流計測手段（図示せず）と、当該電流計測手段の計測値に応じた表示（例えば、計測値の表示）を行う液晶表示装置などからなる表示部１３ａを有する使用電流表示手段（図示せず）とが設けられている。なお、このような表示部１３ａは、上記のような液晶表示装置に限らず、電流計測手段の計測値に応じて発光する発光ダイオードであってもよく、例えば、配線ダクト装置１の電流容量に対する上記電流計測手段の計測値の比率に応じて、点灯数や発光色を変更することで、使用者に電気の使いすぎなどの警告を行うようにしてもよい。なお、上記電流計測手段は従来周知の電流計などを利用できるから、詳細な説明は省略する。
【００２４】
一方、ダクト本体１０の先端側となる長さ方向他端部（図１における右端部）には、ダクト本体１０の先端開口を閉塞するエンドキャップ１４が被着されている。
【００２５】
このようなダクト本体１０は、図１に示すように、基端側および先端側それぞれが固定具１５に取り付けられた状態で、机３００に固定される。なお、以下の説明では、必要に応じて固定具１５を区別するために、ダクト本体１０の基端側が固定される固定具１５を符号１５Ａで示し、ダクト本体１０の先端側が固定される固定具１５を符号１５Ｂで示す。
【００２６】
固定具１５は、上下方向を長さ方向とする脚片１５ａを有し、脚片１５ａの上端部には、ダクト本体１０の上壁部１０ａが固定ねじＳなどによって取り付けられる板状の取付片１５ｂと、取付片１５ｂに取り付けられたダクト本体１０の支持または脱落の防止に用いられる突片１５ｃとが設けられており、これら取付片１５ｂと突片１５ｃとによって、ダクト本体１０が取り付けられる取付部が構成されている。なお、固定具１５Ａの脚片１５ａにおける取付片１５ｂと突片１５ｃとの間の部位には、接続ケーブル１２が貫挿される貫挿孔（図示せず）が形成されている。
【００２７】
脚片１５ａの下端部には、上下方向において対向する一対の固定片１５ｄからなり、固定具１５を机３００に固定するクランプ部が設けられている。各固定片１５ｄには、上下方向（厚み方向）に貫通するねじ孔（図示せず）が形成され、各ねじ孔には締め付け調整ねじ１５ｅが螺着され、これら一対の調整ねじ１５ｅで机３００の天板３１０を挟むことで、固定具１５が机３００に固定される。
【００２８】
ここで、固定具１５の脚片１５ａにおける上記取付部とクランプ部との距離（突片１５ｃと上側の固定片１５ｄとの距離）は、ダクト本体１０の下面（下壁部１０ｃの下面）と机３００の天板３１０の上面との間に配線装置配置用のスペースを確保できる大きさに設定されている。したがって、ダクト本体１０は、図１に示すように、固定具１５によって、開口１０ｄを机３００の上面に対向させるとともに机３００の上面との間に配線装置２を配置可能なスペースを形成する形で、机３００に固定される。なお、図１では、図面の簡略化のために、一つの机３００にダクト本体１０を固定した例を示しているが、実際には、複数の机３００に亘る形に固定される。
【００２９】
配線装置２は、例えば、コンセント装置であって、コンセント本体２０と、コンセント本体２０の上面側に設けられダクト本体１０の開口１０ｄよりダクト本体１０内に挿入されて３つの導電ライン１１に接続される電気接続部２１とを有している。コンセント本体２０は、下面にプラグＰの栓刃（図示せず）が挿入される栓刃挿入口（図示せず）が１乃至複数設けられた筐体２０ａと、筐体２０ａ内に収納され栓刃挿入口より挿入された栓刃に電気的に接続される刃受部（図示せず）とを備えている。このコンセント本体２０には、電源ライン用の一対の刃受部と、接地ライン用の刃受部との３つの刃受部が設けられている。なお、コンセント本体２０は、図１に示すように、下面に栓刃挿入口を備えているものに限られるものではなく、側面に栓刃挿入口を備えているものであってもよい。図５には、下面に栓刃挿入口を備えた配線装置２を符号２Ａで、側面に栓刃挿入口を備えた配線装置２を符号２Ｂで示している。また、このような配線装置２Ａ，２Ｂに限らず、側面と下面の両方に栓刃挿入口が設けられていてもよい。
【００３０】
電気接続部２１は、筐体２０ａの上面に一体的に突設され、開口１０ｄの幅方向の寸法よりも小さい外径の円筒状に形成された本体部２１ａを有しており、本体部２１ａの側周面には、電源ライン用の一対の端子部２１ｂが突設されている。一対の端子部２１ｂは、上下方向に直交する面内において本体部２１ａの中心に対して点対称となる形に設けられ、電源用の一対の刃受部それぞれと電気的に接続されている。この端子部２１ｂの幅寸法（図３（ａ）における左右方向の寸法）は、本体部２１ａの外径より小さく設定されている。
【００３１】
また、本体部２１ａの上面には、接地ライン用の端子部２１ｃが突設され、この端子部２１ｃは、接地ライン用の刃受部と電気的に接続されている。加えて、本体部２１ａにおける下端側には、配線装置２を配線ダクト装置１のダクト本体１０に取り付けるための一対の引掛片２１ｄが、上下方向において一対の端子部２１ｂそれぞれと重なる形に形成されている。この引掛片２１ｄの幅寸法（図３（ａ）における左右方向の寸法）は、本体部２１ａの外径より小さく設定されている。また、引掛片２１ｄの厚みは、ダクト本体１０の下壁部１０ｃと支持突起１０ｅとの間の距離に引掛片２１ｄを挿入できる程度の厚みに設定され、引掛片２１ｄと端子部２１ｂと間の距離は、引掛片２１ｄの下面が下壁部１０ｃの上面に当接した状態で、端子部２１ｂが支持突起１０ｅに設けられた導電ライン１１Ａと対向するような距離に設定されている。なお、図１では電気接続部２１を概略的に示している。
【００３２】
このような配線装置２は、次のようにして配線ダクト装置１に取り付けられる。すなわち、図３（ａ）に示すように、電気接続部２１の端子部２１ｂを開口１０ｄの長さ方向に沿う形に並べた状態で、電気接続部２１を開口１０ｄよりダクト本体１０内に挿入し、その後に、電気接続部２１の端子部２１ｂが開口１０ｄの幅方向に沿って並ぶように、配線装置２の電気接続部２１をその中心軸の回りに９０度回転させる。これによって、図３（ｂ）に示すように、一対の端子部２１ｂそれぞれが一対の導電ライン１１Ａそれぞれに接触されるとともに、端子部２１ｃが導電ライン１１Ｂに接触されて、コンセント本体２０の刃受部が導電ラインに電気的に接続される。また、一対の引掛片２１ｄがダクト本体１０の下壁部１０ｃに支持されて、配線装置２が配線ダクト装置１に機械的に接続される。なお、配線装置２を配線ダクト装置１より取り外すには、上述の操作と逆の操作を行えばよい。したがって、本実施形態の配線システムでは、配線装置２を配線ダクト装置１の導電ライン１１に着脱自在に接続する、すなわち配線装置２は配線ダクト装置１に着脱可能となっている。また、配線装置２の取り付け位置は、ダクト本体１０の長さ方向において自由に調節することができる。
【００３３】
そして、以上述べた配線システムを敷設するにあたっては、例えば、図４（ａ）に示すように、ダクト本体１０を、向かい合わせに配置されるとともに所定方向（机３００の幅方向）に沿って併置された複数（図示例では３つ）の机３００（すなわち対向式レイアウトに配置された机３００）に対して、長さ方向を上記所定方向に沿わせるとともに当該複数の机３００に亘る形に配置して、固定具１５により机３００に固定し、接続ケーブル１２のプラグ１２ａを床に設置された配線機器２００の給電部２１０に接続し、その後に、配線装置２を上述したように配線ダクト装置１に接続する。この点は、図４（ｂ）に示すような、所定方向（机３００の幅方向）に沿って併置された複数（図示例では３つ）の机３００（すなわち同向式レイアウトに配置された机３００）についても同様である。なお、図４（ａ），（ｂ）では固定具１５の図示を省略している。
【００３４】
以上述べたように、本実施形態の配線システムは、長筒状に形成されるとともに筒壁部（下壁部１０ｃ）に長さ方向に沿う形に開口１０ｄが形成されたダクト本体１０と、ダクト本体１０にその長さ方向に沿う形に収納された複数（３つ）の導電ライン１１と、床に設置された給電部２１０と導電ライン１１とを電気的に接続する接続ケーブル１２とを備えた配線ダクト装置１、および開口１０ｄよりダクト本体１０内に挿入されて３つの導電ライン１１に接続される電気接続部２１を有する１乃至複数の配線装置２により構成され、ダクト本体１０は、併置された複数の机３００に亘る形で机３００に固定されている。
【００３５】
したがって、本実施形態の配線システムによれば、接続ケーブル１２を床に設置された給電部２１０に接続するだけで、ダクト本体１０に収納されている導電ライン１１を通じて配線ダクト装置１に接続されている配線装置２に給電することができ、配線ダクト装置１のダクト本体１０を、所定方向に沿って上記床上に併置された複数の机３００に対して長さ方向を上記所定方向に沿わせるとともに当該複数の机３００に亘る形で配置しているから、一の給電部２１０で間に合い、他の給電部２１０を用いる必要がなくなり、配線システムの敷設に必要な給電部２１０の数を減らすことができる。特に、複数の机３００のうちの両端の机３００同士が離れている場合でも導電ライン１１を延長することによって一の給電部２１０で間に合い、他の給電部２１０を用いる必要がなくなり、配線システムの敷設に必要な給電部２１０の数を減らすことができる。その結果、敷設作業および電源の管理が容易に行え、その上、事務所のレイアウト変更時の配線システムの移設作業も容易に行え、コンセント装置２００の数を減らすことができるから、床下配線などの分岐数を減らすことができる。
【００３６】
また、配線システムの構成、例えば、配線装置２の数を変更したい場合には、配線装置２を配線ダクト装置１に着脱すればよく、このような作業は机３００上で行えるので、例えば、テーブルタップ１００を給電部２１０に着脱するために床などを剥がす必要がないから、このような場合に比べれば、容易に行える。さらに、ダクト本体１０が複数の机３００に亘る形に配置されているため、単にテーブルタップ１００などが机３００上に置かれている場合に比べれば外観もすっきりする。加えて、配線装置２の取り付け位置を配線ダクト装置１の導電ライン１１の長さ方向において調整することができるので、テーブルタップ１００などを用いる場合とは異なり、ケーブルの長さによって設置位置が制限されることがなく、使用者の使い易い位置に配線装置２を取り付けることができる。
【００３７】
その上、電流計測手段によって複数の配線装置２に電力を供給する給電路となる導電ライン１１Ａに流れる電流を計測し、使用電流表示手段によって計測値に応じた表示を行うから、使用電流表示手段の表示により、配線システム全体に流れる電流値を把握することができ、電流容量や、使用電流などの管理が容易に行える。
【００３８】
しかも、ダクト本体１０を、開口１０ｄを机３００の上面に対向させるとともに机３００の上面との間に配線装置配置用のスペースを形成する形で、机３００に固定しているので、配線システムが机３００の上面を占める面積を小さくできるから、配線システムの敷設に必要な領域を狭くして、配線システムが邪魔になることを抑制でき、例えば、机３００が机である場合には机上に作業スペースを確保し易くなる。しかも、ダクト本体１０の開口１０ｄが下方を向いているので、ダクト本体１０内にゴミや埃などが入り難くなるから、トラッキングや短絡などの事故を抑制できる。
【００３９】
ところで、配線ダクト装置１を敷設する際に、ダクト本体１０の長さが足りず、ダクト本体１０を、併置された複数の机３００に亘る形で机３００に固定することができない場合には、図５に示すように、増設用の配線ダクト装置１を設けるようにしてもよい。なお、以下の説明では、増設の基礎となる配線ダクト装置１を符号１Ａ、そのダクト本体１０を符号１０Ａで表し、増設用の配線ダクト装置１を符号１Ｂ、そのダクト本体１０を符号１０Ｂで表す。
【００４０】
配線ダクト装置１Ｂは、ダクト本体１０Ａと同様のダクト本体１０Ｂと、導電ライン１１とを備え、ダクト本体１０Ａの先端部となる長さ方向他端部（図５における右端部）には、エンドキャップ１４が設けられている。そして、配線ダクト装置１Ｂは、ダクト本体１０Ｂの基端面（図５における左端面）を、配線ダウト装置１Ａのダクト本体１０Ａの先端面（図５における右端面）に当接させた形で、配線ダクト装置１Ａに連結される。この配線ダクト装置１Ａ，１Ｂ間の連結は連結具１６によって行われる。連結具１６は、配線ダクト装置１Ｂのダクト本体１０Ｂの基端部（図５における左端部）と配線ダクト装置１Ａのダクト本体１０Ａの先端部（図５における右端部）とを機械的に連結する連結片（図示せず）と、配線ダクト装置１Ｂの導電ライン１１の基端部（図５にいおける左端部）と配線ダクト装置１Ａの導電ライン１１の先端部（図５における右端部）とを電気的に接続する接続端子（図示せず）とを備え、ダクト本体１０Ａ，１０Ｂの両方に亘る形でダクト本体１０Ａ，１０Ｂ内に収納される。
【００４１】
連結具１６によって連結されたダクト本体１０Ａ，１０Ｂは、上述した固定具１５によって机３００に固定される。すなわち、ダクト本体１０Ａの基端部は固定具１５Ａによって、ダクト本体１０Ｂの先端部は固定具１５Ｂによって、それぞれ机３００に固定される。また、図５に示す例では、ダクト本体１０Ａ，１０Ｂ間の連結部分を補強するために、当該連結部分を固定具１５（上記固定具１５Ａ，１５Ｂと必要に応じて区別するために符号１５Ｃで表す）で支持するようにしている。この固定具１５Ｃは、脚片１５ａの上端部に、上方が開放されたコ字形に形成されダクト本体１０Ａの先端部およびダクト本体１０Ｂの基端部の両方を支持する支持部１５ｆを有している点で固定具１５Ｂと異なっており、脚片１５ａの下端部に上記クランプ部を有している点は同様である。
【００４２】
以上述べたように、増設用の配線ダクト装置１Ｂおよび連結具１６を利用すれば、配線ダクト装置１の全長を容易に長くすることができるから、机３００が数多く併置されている場合であっても、配線ダクト装置１の敷設が容易に行え、また、必要な給電部２１０も一つで済む。
【００４３】
ところで、配線ダクト装置１の接続ケーブル１２のプラグ１２ａとしては、上述したようなＢ型のものに限らず、Ａ型（アースなし）や、Ｃ型、Ｆ型などのその他の規格に準拠するものであってもよい。また、フラットケーブルを利用した床上配線型のコンセント装置２００の給電部２１０に接続可能な形（図５参照）のものであってもよく、このようにすれば、床上配線にも対応することができ、床上配線においてもコンセント装置２００の数を減らすことができるから、床上配線の分岐数を減らすことができる。
【００４４】
また、本実施形態におけるダクト本体１０は、開口１０ｄが下（重力方向）を向く形に配置されているが、開口１０ｄが横（水平方向）に向く形に配置されていてもよいし、開口１０ｄが水平方向と重力方向との間の方向を向く形に配置されていてもよい。つまり、ダクト本体１０は、開口１０ｄが水平方向より上を向かない形に配置されていればよく、このようにすれば、ダクト本体１０内にゴミや埃などが入り難くなるから、トラッキングや短絡などの事故を抑制できる。
【００４５】
なお、本実施形態では、什器の例として机３００を挙げているが、これに限定する趣旨ではない。また、本実施形態では、配線ダクト装置１を机３００に固定するようにしているが、机に対応して設置されたローパティション（図示せず）に配線ダクト装置１を固定するようにしてもよい。このようにすれば、配線ダクト装置１を配置する際に、机３００などの什器の形状による制約を受けなくて済むから、配線ダクト装置１の配置が行い易くなる。
【図面の簡単な説明】
【００４６】
【図１】本発明の一実施形態の配線システムの概略説明図である。
【図２】同上における配線ダクト装置の部分下面図である。
【図３】同上における配線ダクト装置の概略断面図である。
【図４】同上の配線システムの敷設例の説明図である。
【図５】配線システムの他例の概略説明図である。
【図６】従来の配線システムの敷設例の説明図である。
【符号の説明】
【００４７】
１    配線ダクト装置
２    配線装置
１０    ダクト本体
１１    導電ライン
１２    接続ケーブル
３００    机（什器）
【図１】
0005155605.tif 000002
【図２】
0005155605.tif 000003
【図３】
0005155605.tif 000004
【図４】
0005155605.tif 000005
【図５】
0005155605.tif 000006
【図６】
0005155605.tif 000007